(57)【要約】【課題】自然環境を乱さないよう、通常河川に存在する自然の樹木・石・草木を材料に用い、淡水魚が好む複雑な構造を有し、かつ、洪水時には流失して治水の妨げとなることのない淡水魚用の魚礁を提供する。【解決手段】丸太状の木材１０を、複数本並列させて筏状乃至格子状の棚１に編みあげ、その棚１を、淡水魚が遊泳し得る間隔を形成するよう間隔材１１を介して上下に多段に組み合わせ、周縁部に支柱１２を組付けて魚礁本体ａに組立て、最上位の棚１の上面に、水草を植生させる栽培床ｂを形成し、多段の棚１…の棚間隔内に、淡水魚の棲みかとする石・粗繊維等の間隙形成材３を装填して淡水魚用の魚礁に構成する。【選択図】図１
2005210905.tif 000002
【特許請求の範囲】
【請求項１】
丸太状の木材１０を、複数本並列させて筏状乃至格子状の棚１に編みあげ、その棚１を、淡水魚が遊泳し得る間隔を形成するよう間隔材１１を介して上下に多段に組み合わせ、周縁部に支柱１２を組付けて魚礁本体ａに組立て、最上位の棚１の上面に、水草を植生させる栽培床ｂを形成し、多段の棚１…の棚間隔内に、淡水魚の棲みかとする石・粗繊維等の間隙形成材３を装填することを特徴とする淡水魚用の魚礁。
【請求項２】
並列する丸太状の木材１０よりなる棚１と、間隔材１１と、支柱１２とからなる魚礁本体ａを、植物繊維よりなる紐・縄および木製の釘・楔により組立てることを特徴とする請求項１記載の淡水魚用の魚礁。
【請求項３】
左右両側の法面４０・４０と床面４１とをコンクリートにより構築した三面コンクリート水路４の、法面４０の適宜個所に、平面視において法面４０に切欠状に切込まれて、水路４の流れ方向の正面視において水路４の側面の壁面５０が略垂直で床面５１が水路４の床面４１に略揃う断面が略直角三角形状の切欠部５を装設し、その切欠部５内に、魚礁本体ａを、それの上下に積層する各棚１の巾を上位の棚に向け順次狭くして正面視で切欠部５の形状に倣う形状に組立てて配設し、最上位の棚１の上面に水草の栽培床となる土砂２を敷き込み、棚１と棚１との間隔内に淡水魚の棲みかとなる石・粗繊維等の間隙形成材３を装填することを特徴とする請求項１記載の淡水魚用の魚礁。
【請求項４】
左右両側の法面４０・４０と床面４１とをコンクリートにより構築した三面コンクリート水路４の、法面４０の適宜個所に、平面視においてその法面４０に切欠状に切込まれて、水路４の流れ方向の正面視において水路４の側面の壁面５０が略垂直で床面５１が水路４の床面４１に略揃う断面が略直角三角形状の切欠部５を装設し、その切欠部５内に、魚礁本体ａを、それの上下に積層する棚１が、水路４の法面４０の傾斜角度に倣う角度に傾斜する形状に組立てて配設し、最上位の棚１の上面に水草の栽培床となる土砂２を敷き込み、棚１と棚１との間隔内に淡水魚の棲みかとする石・粗繊維等の間隙形成材３を装填することを特徴とする請求項１記載の淡水魚用の魚礁。
【請求項５】
魚礁本体ａに設ける支柱１２の下端を平らな底面に形成して、その魚礁本体ａを、コンクリートにより構築されている調整池６の岸辺近くに、最上位の棚１が該調整池６に張られる流水の水面に略接するように設置して、その最上位の棚１の上面に水草の栽培床とする土砂２を敷き込み、棚間隔内に、淡水魚の棲みかとする石・粗繊維等の間隙形成材３を装填することを特徴とする請求項１記載の淡水魚用の魚礁。
【請求項６】
魚礁本体ａに設ける支柱１２の下端側を錐状に形成して、その魚礁本体ａを、河川の蛇行して淵を形成する部位の岸辺近くに配位し、支柱１２の下端側を河床に突き刺して設置し、最上位の棚１の上面に水草の栽培床となる土砂２を敷き込み、棚１と棚１との間隔内に、淡水魚の棲みかとする石・粗繊維等の間隙形成材３を装填することを特徴とする請求項１記載の淡水魚用の魚礁。
【発明の詳細な説明】
【技術分野】
【０００１】
本発明は、魚類の隠れ場・餌場・産卵場となる魚礁に関し、特に河川、調整池、溜池、湖沼に設置する淡水魚用の魚礁についての改良に関する。
【背景技術】
【０００２】
魚礁には、従来から、種々の構造・形状のものが作られている。この従前からある魚礁は、その殆どが海中に設置して海水魚を対象とするもので、コンクリート・鉄・プラスチック等で作られた相当の強度をもち、かつ、構造が比較的単純な半永久的な構造物となっているものであり、河川、調整池、溜池、湖沼等に生息する淡水魚を対象とし、これに適応するようにした淡水魚用の魚礁は従来殆ど例がない。
【０００３】
淡水魚は、海水魚とは習性が異なり、棲みか、隠れ場は、河床の石の間隙とするが、産卵は、水面近くに繁茂する水草の根に産み付けるようにしている。このため、海中に設置する海水魚用の魚礁は、それをそのまま河川・湖沼等に設置しても、淡水魚用の魚礁として適応するものとはならない。
【０００４】
また、河川・湖沼等に設置する魚礁は、水の流れの妨げとならないこと、特に洪水時のように大量出水のときに、流れの妨げとなって流水の河川からの溢出を助長するようにならないことが要求される。
【０００５】
このため、海水魚用の海中に設置する魚礁のように、堅牢で半永久的な構造物ではなく、出水時には流れによりこわれて流失するような構造のものでなければならない。また、魚礁が破壊を受けて、その破砕片が河床に散乱したときに、それにより自然環境を汚損しないよう、魚礁の構造物には、腐蝕しないプラスチック材は避けて自然に腐蝕していく材料を用いて構成していなければならない。
【発明の開示】
【発明が解決しようとする課題】
【０００６】
従前の海水魚を対象とする魚礁は、堅牢で半永久的な比較的単純な構造のものであることから、淡水魚が好む複雑な構造のものとすることがむずかしい問題があり、また、大量出水のときに、治水を阻げるようになる問題がある。さらに、自然環境の汚損についての配慮が無い問題がある。
【０００７】
本発明は、これらの問題を解消せしめて、自然環境を乱さないよう、通常河川に存在する自然の樹木・石・草木を材料に用い、淡水魚が好む複雑な構造を有し、かつ、洪水時には流失して治水の妨げとなることのない淡水魚用の魚礁を提供することを課題とするものである。
【課題を解決するための手段】
【０００８】
本発明においては、上述の課題を解決するための手段として、請求項１に記載しているように、丸太状の木材１０を、複数本並列させて筏状乃至格子状の棚１に編みあげ、その棚１を、淡水魚が遊泳し得る間隔を形成するよう間隔材１１を介して上下に多段に組み合わせ、周縁部に支柱１２を組付けて魚礁本体ａに組立て、最上位の棚１の上面に、水草の栽培床ｂを形成し、多段の棚１…の棚間隔内に、淡水魚の棲みかとする石・粗繊維等の間隙形成材３を装填することを特徴とする淡水魚用の魚礁を提起するものである。
【０００９】
この手段は、自然環境への配慮と、洪水時に治水の妨げとならないようにするため、通常河川に存在する樹木・石・草木を用い、かつ洪水時には流失していくように、水に浮いて流れる丸太の木材を主体として魚礁に組立てている手段である。
【００１０】
また、これに併せて請求項２に記載して提起する、並列する丸太状の木材１０よりなる棚１と、間隔材１１と、支柱１２とからなる魚礁本体ａを、植物繊維よりなる紐・縄および木製の釘・楔により組立てることを特徴とする請求項１記載の淡水魚用の魚礁の手段は、洪水時に魚礁が破壊されたときに、それの破砕片の全てが、腐蝕して自然にかえるように、金属・プラスチック材を用いずに、自然の素材で魚礁を組立てるようにしている手段である。
【００１１】
さらに、魚礁を設置すべき河川が、左右両側の河岸と河床とをコンクリートで構築している三面コンクリート水路である場合に適応する手段として、請求項３に記載した、左右両側の法面４０・４０と床面４１とをコンクリートにより構築した三面コンクリート水路４の、左右両側の法面４０の適宜個所に、平面視において法面４０に切欠状に切込まれて、正面視において壁面５０が略垂直で床面５１が水路４の床面４１に略揃う切欠部５を装設し、その切欠部５内に、魚礁本体ａを、それの上下に積層する各棚１の巾を上位の棚に向け順次狭くして正面視で切欠部５の形状に倣う形状に組立てて配設し、最上位の棚１の上面に水草の栽培床となる土砂２を敷き込み、棚１と棚１との間隔内に淡水魚の棲みかとなる石・粗繊維等の間隙形成材３を装填することを特徴とする請求項１記載の淡水魚用の魚礁、
および請求項４に記載した左右両側の法面４０・４０と床面４１とをコンクリートにより構築した三面コンクリート水路４の、左右両側の法面４０の適宜個所に、平面視において法面４０に切欠状に切込まれて、正面視において壁面５０が略垂直で床面５１が水路４の床面４１に略揃う切欠部５を装設し、その切欠部５内に、魚礁本体ａを、それの上下に積層する棚１が、水路４の法面４０の傾斜角度に倣う角度に傾斜する形状に組立てて配設し、最上位の棚１の上面に水草の栽培床となる土砂２を敷き込み、棚１と棚１との間隔内に淡水魚の棲みかとする石・粗繊維等の間隙形成材３を装填することを特徴とする請求項１記載の淡水魚用の魚礁を提起し、
さらにまた、周囲と床面とをコンクリートで構築している調整池に設置する魚礁として、魚礁本体ａに設ける支柱１２の下端を平らな底面に形成して、その魚礁本体ａを、コンクリートにより構築されている調整池６の岸辺近くに、最上位の棚１が該調整池６に張られる流水の水面に略接するように設置して、その最上位の棚１の上面に水草の栽培床とする土砂２を敷き込み、棚間隔内に、淡水魚の棲みかとする石・粗繊維等の間隙形成材３を装填することを特徴とする請求項１記載の淡水魚用の魚礁を提起し、
また、河川の蛇行により形成される淵となる部位に設置するのに適応する魚礁として魚礁本体ａに設ける支柱１２の下端側を錐状に形成して、その魚礁本体ａを、河川の蛇行して淵を形成する部位の岸辺近くに配位し、支柱１２の下端側を河床に突き刺して設置し、最上位の棚１の上面に水草の栽培床となる土砂２を敷き込み、棚１と棚１との間隔内に、淡水魚の棲みかとする石・粗繊維等の間隙形成材３を装填することを特徴とする請求項１記載の淡水魚用の魚礁を提起するものである。
【発明の効果】
【００１２】
本発明による淡水魚用の魚礁は、それの構造体の本体である魚礁本体を、水に浮く自然の樹木の丸太材で多段の棚状に組立て、それに自然の石・草木を配して魚の棲みか、隠れ場となる複雑な構造としているのだから、付着生物が付き易く、それを餌料とする淡水魚の餌場となり、また、洪水等の出水時には、破壊されて流失するようになるので治水の妨げとなることがない。また、多段の棚状の魚礁本体の最上位の棚に土砂を敷き込んで水草の栽培床としていることから、鳥等に対して格好の隠れ場となり、コイ・フナ・ナマズ等の川魚が、水草の根や葉に卵を産み付ける習性があることで川魚の産卵場となる。
【発明を実施するための最良の形態】
【００１３】
次に本発明の実施の態様を図面につき実施例に随い説明する。
【実施例１】
【００１４】
図１乃至図３は、河川の中流・下流及び溜池に設置する淡水魚用の魚礁の例を示している。
【００１５】
図１において、ａは魚礁本体、１は棚、１０は棚１を組立てる丸太状の木材、１１は棚１と棚１の間に間隔を形成するスペーサとなる間隔材、１２は魚礁本体ａの周縁部に組付けた支柱、２は最上位の棚１の上面に水草の栽培床ｂを形成するために敷き込んだ土砂、３は棚１と棚１との間隔内に、川魚の棲みかとなる間隙を形成するよう装填した石・粗朶等の間隙形成材を示す。
【００１６】
魚礁本体ａは、丸太状の木材１０を適宜本数並列させ、筏状の棚１に編みあげ、その棚１をスペーサとなる間隔材１１を介して多層に積層し、それらを一体的に結合することで、棚１が棚間隔を有して多段に重合するブロック状に組立て、それの周縁部に支柱１２を組付けるようにするが、棚１を編みあげる丸太状の木材１０および間隔を形成するための間隔材１１ならびに組付ける支柱１２には、間伐材よりなる丸太を使用している。
【００１７】
そして、並列させた間伐材の丸太よりなる木材１０の互いの結合、およびスペーサとする間伐材の丸太よりなる間隔材１１ならびに間伐材の支柱１２との結合は、天然素材よりなる紐・縄による結縛によって行い、かつ、接触部位の結合にも、木製の釘・楔・ほぞを用いている。
【００１８】
最上位の棚１の上面に水草の栽培床ｂを形成するためにとして敷き込む土砂は、流失を避けるため、粗繊維材を敷き込み、その上に土砂を盛り付けるようにすることが望ましい。このとき用いる粗繊維材も、河川の河川敷に植生している植物の小枝・粗朶を用いるようにし、また、棚１と棚１との間隔内に装填して川魚の棲みか、隠れ場を形成するための石・粗繊維等の間隙形成材３も、河床・河川敷に存在する自然石、または樹木の小枝・粗朶を用いるようにする。
【００１９】
魚礁本体ａの周縁部に組付ける支柱１２は、この例においては、下端側を錐状に形成してあって、これにより、河川の中流・下流の、図２・図３にあるよう蛇行により淵を形成している部位を選択して魚礁を設置するときに、この支柱１２の下端側を河床の土中に突き刺して、その場所に設置するようにしている。
【実施例２】
【００２０】
図４に示す例は、上述の実施例１で示した淡水魚用の魚礁の変形例で、河川の上流に設置するのに適応する上流設置用とした魚礁である。
【００２１】
この例の淡水魚用の魚礁は、間伐材の丸太よりなる木材１０を並列させた棚１と、スペーサとする間伐材の丸太を横木状に用いた間隔材１１と、周縁部に配設する間伐材よりなる支柱１２とを、植物繊維の紐・縄と木製の釘・楔・ほぞを用いて、多段の棚段状の魚礁本体ａを組立て、周縁部に組み付ける支柱１２の下端側を錐状に形成しておくことは、実施例１の魚礁と、変わりないが、棚１を上下に重ねる段数を多くして（実施例では５段）、棚間隔の数を増やしている。
【００２２】
そして、上流の適宜の位置に配置して、支柱１２の下端側を河床に突き刺して設置するが、このとき、棚間隔内に装填する間隙形成材３として、河床に存在する石を多く装填するようにして、それの重量により設置位置に安定させるようにしている。
【００２３】
また、最上位の棚１の上面に形成する水草の栽培床ｂは、流れが急で、土砂が流亡することから、その棚１上には土砂を敷き込まずに、棚１を形成している間伐材の丸太よりなる木材１０の表面に、水草が自然に付着して生長することにまかせた栽培床ｂにしている。
【実施例３】
【００２４】
図５乃至図７に示している例は、河川の左右両側の河岸の傾斜する法面と河床との三面を、コンクリートにより構築してある三面コンクリート水路４に設置するのに適応する形態としている淡水魚用の魚礁である。
【００２５】
この例の淡水魚用の魚礁は、魚礁本体ａを間伐材の丸太よりなる木材１０を並列させて編みあげた棚１と、棚１に対し横木状に組み合わせて、棚間隔を形成する間伐材よりなる間隔材１１と、周縁部に配設する間伐材の丸太よりなる支柱１２とを、植物繊維の紐・縄により結合させて、多段の棚段状の魚礁本体ａに構築し、その魚礁本体ａの最上段の棚１の上面に土砂２を敷き込んで、水草の栽培床ｂを形成し、棚１と棚１との間隔内に、淡水魚の棲みかとなる間隙を形成するための石・粗朶等の間隙形成材３を装填して魚礁に構成することについては、前述の各実施例のものと変わりない。
【００２６】
しかし、この魚礁の設置に際し、三面コンクリート水路４には、図５および図６にあるように水路４の両側の法面４０の適宜の個所に、平面視において法面４０に対し切欠状に切込まれて、正面視において水路４の側面の壁面５０が略垂直で床面５１が水路４の床面４１に略揃う断面直角三角形状の切欠部５を装設して、この切欠部５内に設置するようにすることで、水路４内の水の流れの妨げとならないようにし、さらに、図７の左半側に示しているように、魚礁本体ａの各棚１の巾を、最上位の棚１を狭くし、次位の棚１以下の巾を順次下位に向かい拡げて、魚礁本体ａの棚１の長手方向視における形状を、正面視における断面形状が略直角三角形状をなす水路４の切欠部５内に略納まるように形成することで、水路４内の流れに対し殆ど妨げとならないようにしている。
【実施例４】
【００２７】
この例は、上述の三面コンクリート水路４の側壁の法面４０に切欠状の切欠部５を設けて、そこに、魚礁を設置する実施例３の変形例である。
【００２８】
この例においては、水路４の流れ方向の正面視において、断面が略直角三角形状をなす切欠部５内に魚礁本体ａが納まるようにその魚礁本体ａの正面視における形状を構成するのに、図７の右半側に示しているよう、魚礁本体ａの多段に積層する棚１を、水路４の法面４０の傾斜角度に倣う角度に傾斜させることで、水路４の法面４０の切欠部５内に設置して、水路４を流れる水の流れに対し妨げのないようにしている例であり、この点を除いたその余の構成は実施例３と変わりがない。
【実施例５】
【００２９】
図８乃至図１１は、調整池に設置するのに適応するようにした例を示している。
【００３０】
この例の淡水魚用の魚礁は、それの魚礁本体ａを、間伐材の丸太よりなる木材１０を並列させた棚１と、その棚１に横木状に組み付ける間伐材よりなる間隔材１１と、周縁部に組付ける間伐材よりなる支柱１２とで、棚１が間隔をおいて多段に積層する形状に組立て、それの最上位の棚１の上面に、水草の栽培床ｂとする土砂２を敷き込み、棚間隔内に淡水魚の棲みか隠れ場所とする石・粗朶等の間隙形成材３を装填して淡水魚用の魚礁に構成することは、前述の各実施例と変わりはないが、魚礁本体ａの周縁部に組付ける支柱１２は、それの下端を平らな端面に形成しておいて、コンクリートで構築されている床面に裁置することで設置するようにしている。
【００３１】
また、調整池は、そこに張られた水を放流して水を落とした状態とすることで、設置した魚礁の内部の点検が行えることから、棚１と棚１との間隔内に装填する間隙形成材３には、古タイヤなどの各種のものを、淡水魚に適応しているか否かを調べながら利用できることになり、児童の学習に役立つようになる。
【図面の簡単な説明】
【００３２】
【図１】本発明を実施せる淡水魚用の魚礁の全体の斜視図である。
【図２】同上の魚礁を河川の中流の河岸近くに設置した状態の斜視図である。
【図３】同上の魚礁を河川の下流の河岸近くに設置した状態の斜視図である。
【図４】同上の魚礁の、上流設置用とした変形例の斜視図である。
【図５】三面コンクリート水路の縦断正面図である。
【図６】同上水路に本発明による淡水魚用の魚礁を設置した状態の平面図である。
【図７】同上水路の、淡水魚用の魚礁を設置した部位における縦断正面図である。
【図８】本発明による淡水魚用の魚礁の、調整池用に構成した例の斜視図である。
【図９】同上の魚礁の最上位の棚の斜視図である。
【図１０】同上の魚礁の中位の棚の斜視図である。
【図１１】同上の魚礁の下位の棚の斜視図である。
【符号の説明】
【００３３】
ａ…魚礁本体、ｂ…栽培床、１…棚、１０…木材、１１…間隔材、１２…支柱、２…土砂、３…間隙形成材、４…水路、４０…法面、４１…床面、５…切欠部、５０…壁面、５１…床面、６…調整池。
【図１】
2005210905.tif 000003
【図２】
2005210905.tif 000004
【図３】
2005210905.tif 000005
【図４】
2005210905.tif 000006
【図５】
2005210905.tif 000007
【図６】
2005210905.tif 000008
【図７】
2005210905.tif 000009
【図８】
2005210905.tif 000010
【図９】
2005210905.tif 000011
【図１０】
2005210905.tif 000012
【図１１】
2005210905.tif 000013